(57)【要約】本発明は、多機能の応援道具、より具体的には、ラッパ、拡声器及び打撃棒を結合して応援の必要性に応じて意気揚々となる応援を誘導することができ、選手の士気を高揚させることができる多機能の応援道具を提供する。すなわち本発明は、中空の円錐状をしたプラスチック製の打撃桶２６と、打撃棒２８と、ラッパ２１と、取っ手２２とを有する多機能の応援道具において、打撃棒の一端は取っ手の内側面に固定されており、他端は打撃管の内側に伸びており、取っ手は、打撃管及びラッパと結合するために中空の円筒状に形成され、打撃管と結合されて拡声器として機能する多機能の応援道具を提供する。【選択図】図１
2009539545.tif 000002
【特許請求の範囲】
【請求項１】
中空の円錐形をしたプラスチック製の打撃管と、
打撃棒と、
ラッパと、
取っ手と、を有する多機能の応援道具において、
前記打撃棒の一端は前記取っ手の内側面に固定されており、前記打撃棒の他端は前記打撃管の内側に伸びており、
前記取っ手は、前記打撃管及びラッパと結合するために中空の円筒状に形成され、前記打撃管と結合されて拡声器として機能することを特徴とする多機能の応援道具。
【請求項２】
前記ラッパの一端は、口につけて吹きやすいように長方形の形状を有し、前記ラッパの他端は、前記取っ手に結合しやすいように円形の形状を有する請求項１に記載の多機能の応援道具。
【請求項３】
前記ラッパと連結される前記取っ手の開口部が、唇を完全に重ねることができて集音効果を有するように円形に形成されている請求項１に記載の多機能の応援道具。
【発明の詳細な説明】
【技術分野】
【０００１】
本発明は、多機能の応援道具に係り、より具体的には、ラッパ、拡声器及び打撃棒を結合して応援の必要性に応じて多様な応援を展開することができ、意気揚々となる応援が可能で、選手の士気及び観衆の応援参与を高める多機能の応援道具に関する。
【背景技術】
【０００２】
従来、一般的に知られた応援道具は、ラッパ、拍子木、パイプ、拡声器、棒風船、旗などさまざまである。そして、これら応援道具は、機能別に、かつ個別的に使われているが、最近では複数種の応援道具を一体化した道具も登場している。
【０００３】
しかし、これら大部分の応援道具は、使い捨て製品が多く、製品の材質自体が堅固ではなく、競技や行事が終われば、ほとんど捨てられてしまい、周りが汚くなる場合が多かった。
【０００４】
一方、去る２００２年ワールドカップ以後には、応援観衆の一体化のために一声を誘導する応援が盛んになって、応援観衆が大声を出さなければならない場合が多くなった。これにより、大声を出すことができる拡声器が応援道具として要求され、さらには、携帯しやすく、かつ使用が便利な拡声器と個別応援道具との一体化された多機能の応援道具の必要性が高まりつつある。
【発明の概要】
【発明が解決しようとする課題】
【０００５】
本発明が解決しようとする技術的課題は、上述の必要性に対応できる多機能の応援道具を提供することにある。
【課題を解決するための手段】
【０００６】
本発明は、中空の円錐状をしたプラチック製の打撃管と、打撃棒と、ラッパと、取っ手とを有する多機能の応援道具において、前記打撃棒の一端は前記取っ手の内側面に固定されており、前記打撃棒の他端は前記打撃管の内側に伸びており、前記取っ手は、前記打撃管及びラッパと結合するために中空の円筒状に形成され、前記打撃管と結合されて拡声器として機能することを特徴とする多機能の応援道具を提供する。
【０００７】
また本発明は、前記ラッパの一側端は、口につけて吹きやすいように長方形の形状を有し、前記ラッパの他端は、前記取っ手に結合しやすいように円形の形状を有する多機能の応援道具を提供する。
【０００８】
さらに本発明は、前記ラッパと連結される前記取っ手の開口部が、唇を完全に重ねることができて集音効果を有するように円形に形成されている多機能の応援道具を提供する。
【発明の効果】
【０００９】
本発明による多機能の応援道具は、運動競技だけではなく、キャンペーンやコンサート場のような大勢の群衆が集まる場所において、ラッパ、拡声器及び太鼓のすべての機能を発揮することができる。したがって、群衆の視線を集中させることができ、新たな応援雰囲気を醸成し、新たな応援文化を創出することができる。
【図面の簡単な説明】
【００１０】
【図１】本発明による多機能の応援道具の斜視図である。
【図２】本発明による多機能の応援道具の正面図である。
【図３】本発明による多機能の応援道具の分解状態の正面図である。
【発明を実施するための形態】
【００１１】
以下、添付した図面を参照して、本発明の望ましい実施形態を説明することによって、本発明を詳しく説明する。各図面に提示された同一参照符号は、同一部材を表わす。
【００１２】
図１は、本発明による多機能の応援道具の斜視図である。
【００１３】
図２は、本発明による多機能の応援道具の正面図である。
【００１４】
図１及び図２では、本発明の望ましい実施形態による多機能の応援道具が図示されている。
【００１５】
図１及び図２を参照すれば、本発明の望ましい多機能の応援道具１０においては、応援の多様な機能を提供するようにラッパ２１が、着脱容易に取っ手２２に連結または分離されるように構成されている。
【００１６】
ラッパ２１の一側の端面は、便利なマウスピース２３とするために平たい長方形の形状をしており、他側の端面は、取っ手２２に容易に連結されるように円形からなっている。ラッパ２１は、分離して使っても本来の機能を発揮するができ、特にラッパ２１を分離せずに使う場合にはラッパ音の効果音が増幅され、拡声されたラッパ音がでる。
【００１７】
また、取っ手２２は、上開口部２４と下開口部２５とを有し、良好なグリップ感を得るために円筒形からなっている。取っ手２２の上開口部２４は、打撃管２６の一側の開口部２７と連結されるように構成されており、取っ手２２の下開口部２５は、ラッパ２１と連結される。
【００１８】
特に、取っ手２２の下開口部２５は、拡声器の発声部分として機能するために取っ手２２の上開口部２４に比べて発声を出す口の全面が重なるように広い円形で構成されている。一方、打撃棒２８は、一端が取っ手２２の内側面に固定されており、他端は打撃管２６の内側に長く伸びている。
【００１９】
特に、打撃管２６の内側に位置した打撃棒２８の一端は、小さな円筒状を有していて打撃管２６に衝突する時に打撃音を効果的に出す。
【００２０】
打撃音を必要とする応援をする場合には、取っ手２２を握って、打撃桶２６を振り立てるか、打撃桶２６を他の手の平にぶつければ、打撃棒２８が揺られながら打撃桶２６を打撃して打撃音が出る。
【００２１】
打撃管２６には、応援するチームのロゴ等を印刷して使えば、応援効果が増大することは勿論、応援しない群衆にもさまざまな視覚的なカラフルさをも提供させうる。
【００２２】
図３は、本発明による多機能の応援道具の分解状態の正面図である。
【００２３】
図３を参照すると、本発明による多機能の応援道具は、ラッパ２１、取っ手２２、打撃棒２８及び打撃管２６に容易に分解することができる。打撃棒２８のピン係止部３０は、取っ手２２の内側の固定ピン２９に固定し、打撃桶２６を激しく振っても分離されないように構成する。
【００２４】
以上、図面と明細書で最適実施形態が開示された。ここで、特定の用語が使われたが、これは、単に本発明を説明するための目的で使われたものであり、意味限定や特許請求の範囲に記載の本発明の範囲を制限するために使われたものではない。したがって、当業者ならば、これより多様な変形及び均等な他実施形態が可能であるいう点を理解できるであろう。すなわち、本発明の真の技術的保護範囲は、特許請求の範囲の技術的思想によって決めるべきである。
【符号の説明】
【００２５】
１０：多機能の応援道具            ２１：ラッパ
２２：取っ手                      ２３：マウスピース
２４：取っ手の上開口部            ２５：取っ手の下開口部
２６：打撃管                    ２７：打撃管の開口部
２８：打撃棒                      ２９：固定ピン
３０：ピン係止部
【図１】
2009539545.tif 000003
【図２】
2009539545.tif 000004
【図３】
2009539545.tif 000005
【国際調査報告】
2009539545.tif 000006
2009539545.tif 000007